(57)【要約】【課題】バケット（１）が水平移動し、搬送物を溢すこと無く、バケット（１）の容積に対し１００％の割合で搬送物を積み込むことができるバケットコンベアーを提供する。【解決手段】多数個のバケット（１）とその両端部に水平移動を保持するための水平用ローラー（２）と、姿勢変更対応水平用ローラー（３）と、回転軸（４）と回転軸用ブロック（５）を設け、コンベアーコーナー部（６）では水平用ローラー（２）と姿勢変更対応水平ローラー（３）を案内するガイドレール（７）を設け、供給場所（８）上部では姿勢変更対応水平ローラー（３）と接触する姿勢変更カム（９）とエアシリンダー（１０）を設けたことを特徴とするバケットコンベアー。【選択図】図１
2011046528.tif 000002
【特許請求の範囲】
【請求項１】
搬送物を搬送するバケットコンベアーにおいて、多数個のバケット（１）とその両端部に水平移動を保持するための水平用ローラー（２）と、姿勢変更対応水平用ローラー（３）と、回転軸（４）と回転軸用ブロック（５）を設け、コンベアーコーナー部（６）では水平用ローラー（２）と姿勢変更対応水平ローラー（３）を案内するガイドレール（７）を設け、供給場所（８）上部では姿勢変更対応水平用ローラー（３）と接触する姿勢変更カム（９）とエアシリンダー（１０）を設けたことを特徴とするバケットコンベアー。
【発明の詳細な説明】
【発明の詳細な説明】
【技術分野】
【０００１】  この発明は搬送物の搬送に使用するバケットを多数個搭載したコンベアーである。
【背景技術】
【０００２】  従来、搬送物の搬送にはバケットが水平移動できないコンベアーを使用していた。
【発明が解決しようとする課題】
【０００３】  従来には次のような欠点があった。
（イ）バケットが水平移動を維持でぎず搬送物を溢していた。
（ロ）バケットがコーナーで搬送物を溢す量を想定、差し引きし、搬送量を制限するこ        とで、バケットの容積１００％を活かせず搬送効率が悪かった。
【課題を解決するための手段】
【０００４】  多数個のバケット（１）とその両端部に水平移動を保持するための水平用ローラー（２）と、姿勢変更対応水平用ローラー（３）と、回転軸（４）と回転軸用ブロック（５）を設け、コンベアーコーナー部（６）では水平用ローラー（２）と姿勢変更対応水平用ローラー（３）を案内するガイドレール（７）を設け、供給場所（８）上部では姿勢変更対応水平用ローラー（３）と接触する姿勢変更カム（９）とエアシリンダー（１０）を設けたバケットコンベアー。
【発明を実施するための形態】
【０００５】    以下、本発明の実施の形態を説明する。
（イ）バケット（１）の両端部に水平用ローラー（２）と姿勢変更対応水平用ローラー（３）と、回転軸（４）と回転軸用ブロック（５）を設け、バケットコンベアーに搭載する。
（ロ）コンベアーコーナー部（６）に水平用ローラー（２）と姿勢変更対応水平用ローラー（３）が進入するガイドレール（７）を設ける。
（ハ）供給場所（８）上部に姿勢変更カム（９）とエアシリンダー（１０）を設ける。
本発明は以上のような構成で、これを使用するには、バケット（１）にバケット（１）  の容積に対し１００％割合で搬送物を積み込み、コンベアーを運転する。
すると、図３のようにコンベアーコーナー部（６）を通過するときに、バケット（１）の両端部に設けられた水平用ローラー（３）と姿勢変更対応水平用ローラー（３）がガイドレール（７）に進入し、バケット（１）は水平を保持されながら、コンベアーコーナー部（６）を通過していく。その際には水平移動を持続しているため、バケットの容積の１００％まで積み込まれた搬送物は溢れない。
そして、供給場所（８）にたどり着いたときには供給場所（８）上部に搭載されたエアシリンダー（１０）が可動して姿勢変更カム（９）が上昇し、姿勢変更対応水平用ローラー（３）と接触し、図４のようにバケット（１）の姿勢を変更させ搬送物を供給場所（８）へ供給する。
【発明の効果】
【０００６】  バケットが水平移動をして搬送物を溢さないため、搬送物を拾い集める作業が無くなる  。
また、バケットの容積に対し１００％搬送物を積み込み、溢さず搬送することで、搬送  時間効率が飛躍的に上がる。
【図面の簡単な説明】
【図１】  本発明の使用状態を示す側面図である。
【図２】  本発明の使用状態を示す拡大図である。
【図３】  本発明の使用状態を示す拡大図である。
【図４】  本発明の使用状態を示す拡大図である。
【図５】  本発明の使用状態を示す拡大図である。
【符号の説明】  （１）バケット
（２）水平用ローラー
（３）姿勢対応水平用ローラー
（４）回転軸
（５）回転軸用ブロック
（６）コンベアーコーナー部
（７）ガイドレール
（８）供給場所
（９）姿勢変更カム
（１０）エアシリンダー
【図１】
2011046528.tif 000003
【図２】
2011046528.tif 000004
【図３】
2011046528.tif 000005
【図４】
2011046528.tif 000006
【手続補正書】
【提出日】平成21年11月17日(2009.11.17)
【手続補正２】
【補正対象書類名】明細書
【補正対象項目名】全文
【補正方法】変更
【補正の内容】
【発明の詳細な説明】
【発明の詳細な説明】
【技術分野】
【０００１】  この発明は搬送物の搬送に使用するバケットを多数個搭載したコンベアーである。
【背景技術】
【０００２】  従来、搬送物の搬送にはバケットが水平移動できないコンベアーを使用していた。
【発明が解決しようとする課題】
【０００３】  従来には次のような欠点があった。
（イ）バケットが水平移動を維持できず搬送物を溢していた。
（ロ）バケットがコーナーで搬送物を溢す量を想定、差し引きし、搬送量を制限することで、バケットの容積１００％を活かせず搬送効率が悪かった。
【課題を解決するための手段】
【０００４】  多数個のバケット（１）とその両端部に水平移動を保持するための水平用ローラー（２）と、姿勢変更対応水平用ローラー（３）と、回転軸（４）と回転軸用ブロック（５）を設け、コンベアーコーナー部（６）では水平用ローラー（２）と姿勢変更対応水平用ローラー（３）を案内するガイドレール（７）を設け、供給場所（８）上部では姿勢変更対応水平用ローラー（３）と接触する姿勢変更カム（９）とエアシリンダー（１０）を設けたバケットコンベアー。
【発明を実施するための形態】
【０００５】  以下、本発明の実施の形態を説明する。
（イ）バケット（１）の両端部に水平用ローラー（２）と姿勢変更対応水平用ローラー（３）と、回転軸（４）と回転軸用ブロック（５）を設け、バケットコンベアーに搭載する。
（ロ）コンベアーコーナー部（６）に水平用ローラー（２）と姿勢変更対応水平用ローラー（３）が進入するガイドレール（７）を設ける。
（ハ）供給場所（８）上部に姿勢変更カム（９）とエアシリンダー（１０）を設ける。
本発明は以上のような構成で、これを使用するには、バケット（１）にバケット（１）の容積に対し１００％割合で搬送物を積み込み、コンベアーを運転する。
すると、図３のようにコンベアーコーナー部（６）を通過するときに、バケット（１）の両端部に設けられた水平用ローラー（３）と姿勢変更対応水平用ローラー（３）がガイドレール（７）に進入し、バケット（１）は水平を保持されながら、コンベアーコーナー部（６）を通過していく。その際には水平移動を持続しているため、バケットの容積の１００％まで積み込まれた搬送物は溢れない。
そして、供給場所（８）にたどり着いたときには供給場所（８）上部に搭載されたエアシリンダー（１０）が可動して姿勢変更カム（９）が上昇し、姿勢変更対応水平用ローラー（３）と接触し、図４のようにバケット（１）の姿勢を変更させ搬送物を供給場所（８）へ供給する。
【発明の効果】
【０００６】  バケットが水平移動をして搬送物を溢さないため、搬送物を拾い集める作業が無くなる。
また、バケットの容積に対し１００％搬送物を積み込み、溢さず搬送することで、搬送時間効率が飛躍的に上がる。
【図面の簡単な説明】
【０００７】
【図１】  本発明の使用状態を示す側面図である。
【図２】  本発明の使用状態を示す拡大図である。
【図３】  本発明の使用状態を示す拡大図である。
【図４】  本発明の使用状態を示す拡大図である。
【符号の説明】  （１）バケット
（２）水平用ローラー
（３）姿勢対応水平用ローラー
（４）回転軸
（５）回転軸用ブロック
（６）コンベアーコーナー部
（７）ガイドレール
（８）供給場所
（９）姿勢変更カム
（１０）エアシリンダー